【手続補正書】
【提出日】平成16年6月7日(2004.6.7)
【手続補正１】
【補正対象書類名】明細書
【補正対象項目名】全文
【補正方法】変更
【補正の内容】
【書類名】    明細書
【発明の名称】野菜収穫機の移送装置
【特許請求の範囲】
【請求項１】収穫した結球野菜の供給を受けて移送する移送コンベア２３を移動用車両２に装着可能に設け、該移送コンベア２３の移送始端部より下方に位置して地面に接地することで該移送コンベア２３の移送始端部側を支持可能とするローラ装置２１を設け、該移送コンベア２３の移送終端部の下側に移動用車両２の後部に設けた受装置３０へ着脱自在に挿入可能に構成した後部支持装置２８を設けたことを特徴とする野菜収穫機の移送装置。
【発明の詳細な説明】
【０００１】
【発明の属する技術分野】
この発明は、移動用車両に装着し、収穫した結球野菜の供給を受けて移送する移送コンベアの移送始端部の下側には、ローラ装置を設け、移送終端部の下側には、後部支持装置を設け、この後部支持装置は、該移動用車両の後部の受装置へ着脱自在に挿入する移送装置に関する。
【０００２】
【従来の技術】
結球野菜が、例えば、キャベツであったとすると、移動用車両の前部の前操縦席に搭乗した作業者により、圃場で収穫したキャベツは、該移動用車両の側部に装着して設けた移送コンベアの前部の移送始端部へ供給され、この移送コンベアで後方上部の移送終端部まで移送され、この終端部で他の作業者により、このキャベツは所定の貯留部へ供給されて貯留される。
【０００３】
上記のキャベツ収穫作業が終了し、移動用車両から野菜収穫機の移送装置を取外し、他の作業用機械を装着するときには、この移送装置の移送コンベアの取外しを行うときは、装着用のボルト、及びナット等を外して、２人以上の作業者が、この移送コンベアの両端部を持ち上げて取外しを行っていた。
【０００４】
【発明が解決しようとする課題】
移送装置の移送コンベアの装着、及び取外しは、２人以上の作業者により行われていたが、これを１人の作業で簡単に行えるようにすると共に、安全にこれらの作業が行えるようにしようとするものである。
【０００５】
【課題を解決するための手段】
このために、この発明は、収穫した結球野菜の供給を受けて移送する移送コンベア２３を移動用車両２に装着可能に設け、該移送コンベア２３の移送始端部より下方に位置して地面に接地することで該移送コンベア２３の移送始端部側を支持可能とするローラ装置２１を設け、該移送コンベア２３の移送終端部の下側に移動用車両２の後部に設けた受装置３０へ着脱自在に挿入可能に構成した後部支持装置２８を設けたことを特徴とする野菜収穫機の移送装置の構成とする。
【０００６】
【発明の作用】
作業者Ｂにより、圃場で収穫されたキャベツ（イ）は、移動用車両２の一方側の側部に設けた移送コンベア２３の前部の移送始端部へ供給され、この移送コンベア２３で後方上部の移送終端部まで移送され、この終端部で他の作業者により、このキャベツ（イ）は所定の貯留部へ供給されて貯留される。
【０００７】
上記のキャベツ（イ）収穫作業が終了し、移動用車両２から野菜収穫機の移送装置を取外し、他の作業機械を装着するときには、この移送装置の移送コンベア２３の取外しを行うときは、１人の作業者Ｂにより、この移送コンベア２３の移送始端部の下側に設けたローラ装置２１が土間へ当接するまで、この移送コンベア２３を下降傾斜させる。土間へ当接すると、該ローラ装置２１を回転中心として、この移送コンベア２３の移送終端部を更に上昇させ、移送終端部の下側に設けて、該移動用車両２に設けた受装置３０へ挿入した後部支持装置２８を、この受装置３０部から外れる状態にし、外れるとこの移送コンベア２３を前方へ押すと、該ローラ装置２１が回転して前方へ移動して取外しができる。
【０００８】
【発明の効果】
移送コンベア２３のローラ装置２１を土間へ当接させ、その後に後方部の受装置３０と後部支持装置２８との挿入支持部を外れた状態とし、該ローラ装置２１を回転させて前方へ押すと取外しができることにより、１人の作業者Ｂにより、簡単で安全で容易に、この移送コンベア２３の取外しができる。
【０００９】
【実施例】
以下、本発明の一実施例を図面に基づいて説明する。図例は、結球野菜（イ）が、例えばキャベツ（イ）であったとすると、このキャベツ（イ）は圃場で収穫され、この収穫されたキャベツ（イ）を移送、及び貯留等を行う野菜収穫機１の移動用車両２は、例えば、４輪トラクター２であってもよい。この移動用車両２に装着した移送装置３、及び貯留部４等よりなる構成であり、この野菜収穫機１を示して説明する。
【００１０】
前記移動用車両２は、通常の走行のときに搭乗して走行操作する折り畳み自在な操縦席５を設け、この操縦席５は、キャベツ（イ）収穫作業のときには、前方へ倒して作業する構成としている。前記移動用車両２前部には、キャベツ（イ）を収穫作業のときに走行操作、及びキャベツ（イ）を圃場より、切断して収穫する作業者Ｂが座る前操縦席６を設けている。該移動用車両２の機体７の前側には、略平方形状のリンク機構の支持具８を設け、この支持具８の前側には、パイプ受杆９を設け、このパイプ受杆９の前側の左端部には、補助受杆１０を設け、この補助受杆１０の上側面には、該前操縦席６を固着して設けている。この前操縦席６後側には、席もたれを設けた構成とするもよい。
【００１１】
前記前操縦席６近傍部でパイプ受杆９には、移動用車両２の伝動ケース（図示せず）に内装したクラッチ（図示せず）を始動、及び停止操作するＯＮ−ＯＦＦスイッチ方式の始動手段１３、及び該移動用車両２の走行方向制御と、移送装置３の上下方向制御とを行う十文字溝（図示せず）に内装して、操作制御する制御レバー１５等を設けた構成としている。
【００１２】
前記移動用車両２の後部には、機体７に後方へ突出させて連結杆１６を設け、この連結杆１６には、複数個設けた支持ピン用孔（図示せず）の所定位置へ支持ピン（図示せず）を挿入して固定により、左右方向へ所定量移動調節可能な構成とし、この連結杆１６の後端部は、挿入溝（図示せず）を形成して、この挿入溝へ作業用牽引車１９の車台２０の前側に設けた挿入部（図示せず）を挿入して、連結ピン（図示せず）で連結させ、この作業用牽引車１９と該移動用車両２とを連接させた構成としている。
【００１３】
前記移送装置３は、移送コンベア２３、ローラ装置２１、前部支持装置２７、後部支持装置２８、及び落下防止装置２４等よりなる構成であり、移動用車両２の一方側の側部に前後方向に設けると共に、移送始端部から終端部へ向けて所定角度で傾斜させて設け、移送始端部は、前操縦席６から所定距離前部に位置させ、移送終端部は、操縦席５の正常位置後部より若干後方部に位置させた構成としている。
【００１４】
前記移送コンベア２３の前部支持装置２７は、機体７前部の支持具８を介して設けたパイプ受杆９の左端部には、後述する左右両側の移送板２９の移送始端部に装着して設けた補助移送板１１，１１下端面には、側面視略Ｕ字形状の支持板１２を設け、この支持板１２を挿入し、この移送コンベア３の移送始端側を支持させた構成であり、該支持具８に設けた上下シリンダ２６の作動により、該移送コンベア２３を上下回動可能に設けている。後部支持装置２８は、移送終端部の下側に設け、左右両側の該移送板２９，２９の終端部には、支持板２８ａ，２８ａを下方へ向けて所定長さに設けると共に、下端部には、支持パイプ２８ｂを固着して設けた構成としている。
【００１５】
前記機体７には、後部支持装置２８を着脱自在で挿入可能に受装置３０を設け、この受装置３０は、受板３０ａと固定ピン３０ｂとよりなる構成であり、該受板３０ａはＵ字形状に形成し、このＵ字部へ該後部支持装置２８の支持パイプ２８ｂを挿入して嵌合させ、この挿入後に該受板３０ａへ固定ピン３０ｂを挿入し、この後部支持装置２８が上方へ抜けるのを防止する構成であり、該固定ピン３０ｂ軸端部には、抜け止めを施した構成としている。
【００１６】
前記上下シリンダ２６の上下作動により、パイプ受杆９を回動中心として、移送コンベア２３は、上下回動自在な構成としている。前記移送コンベア２３の移送始端部の下側には、ローラ装置２１を設け、このローラ装置２１は、左側の補助移送板１１に下方へ向けて所定長さでＬ字形状の固定孔を有する固定板３１ａと、所定長さの固定孔を有する固定板３１ｂとを設けると共に、左右両側の該補助移送板１１，１１には、回動自在な支持杆３１ｃ，３１ｃを設け、この支持杆３１ｃ，３１ｃの下端部には、回転自在に各々ローラ３１ｄ，３１ｄを軸支して設けている。この支持杆３１ｃの固定位置は、圃場でキャベツ（イ）収穫のときは、該固定板３１ｂへこの支持杆３１ｃを支持ピン３１ｅで固定させる構成である。又、該移送コンベア２３を移動用車両２から取外しするときは、該固定板３１ａへこの支持杆３１ｃを該支持ピン３１ｅで固定させる構成である。
【００１７】
前記移送コンベア２３を移動用車両２から取外しするときは、ローラ装置２１の両側のローラ３１ｄ，３１ｄを軸支した支持杆３１ｃは、固定板３１ａへ支持ピン３１ｅで支持させると共に、後部支持装置２８を支持した受装置３０の受板３０ａから固定ピン３０ｂを抜き取り、上下シリンダ２６を作動させ、該移送コンベア２３の移送始端部を下降させ、ローラ３１ｄ，３１ｄを下降させて土間へ当接させ、更に上下シリンダ２６を作動させて、該移送コンベア２３の移送終端部を上昇させ、該後部支持装置２８の支持パイプ２８ｂを該受板３０ａから嵌合部が抜けた状態になるまで上昇させて停止させ、この移送コンベア２３を機体７より取外しするために、作業者Ｂは、この移送コンベア２３の移送終端部を持って、前方へ向けて押すと取外しできる構成としている。
【００１８】
尚、前記ローラ装置２１のローラ３１ｄを回転自在に軸支して回動自在な支持杆３１ｃ，３１ｃは、移送板１１，１１へ直接固着する構成として、回動させない構成とするもよい。前記移送コンベア２３は、左右両側の移送板２９，２９間の移送始端部に回転自在に軸架した回転軸３４ａに軸支したプーリ３３ａと、移送終端部に回転自在に軸架した回転軸３４ｂに軸支したプーリ３３ｂとには、所定幅の平ベルト方式の移送ベルト３２を張設した構成である。この移送ベルト３２には、移送方向へ所定の間隔でＬ字形状の移送ラグ３３を特殊ボルト、及びナット等により装着した構成としている。
【００１９】
前記前操縦席６に座った作業者Ｂにより、圃場より切断して収穫したキャベツ（イ）は、この移送ベルト３２上へ供給され、この移送ラグ３３で受けて、上部の移送終端部へ向けて移送する構成であり、この移送ベルト３２は、移送モータ（図示せず）の回転により、回転駆動する構成であり、この移送モータを始動、及び停止操作するＯＮ−ＯＦＦスイッチ方式の始動手段３６ａは、左側の該移送板２９の外側面の移送始端部へ設けた構成としている。
【００２０】
前記落下防止装置２４は、左右両側の補助移送板１１，１１の外側面で、移送始端部のプーリ３３ａを軸支する回転軸３４ａから所定距離上部に、コ字形状の落下防止枠３５を設け、この落下防止枠３５には、糸材よりなる所定目合の落下防止ネット３６を装着した構成であり、移送ベルト３２上へ供給されたキャベツ（イ）が移送始端部の下方へ向けて落下しないように防止する構成であり、又、この落下防止装置２４の装着位置は、キャベツ（イ）が停滞しない位置とした構成としている。
【００２１】
シュータ装置３７は、移送コンベア２３の移送終端部の後部へ回動自在に設けている。このシュータ装置３７のシュータ３８の前端部には、逆Ｕ字形状の固定用受板３８ａを設け、支持板２８ａ，２８ａには、上方へ突出させて支持板２９ａ，２９ａを設け、この支持板２９ａ，２９ａ間には、支持パイプ２９ｂを固着して設け、この支持パイプ２９ｂには、該固定用受板３８ａのＵ字部を挿入して嵌合させて、前端部を受けさせた構成としている。
【００２２】
又、後部には、シュータ３８に設けた受板３８ｂ，３８ｂに回動自在に受パイプ３９を装着して設け、この受パイプ３９の下端部は、作業用牽引車１９の車台２０の前端面の取付板２０ａを介して設けた固定板２０ｂへ挿入して、支持ピン３９ａで支持させ、この受パイプ３９の固定孔位置を、この支持ピン３９ａの差換え位置により、該シュータ３８の上下位置を変更できる構成である。シュータ装置３７の固定用受板３８ａの嵌入部を取外しすると、このシュータ装置３７は、作業用牽引車１９の台車２０と同時に取外しできる構成としている。
【００２３】
前記作業用牽引車１９の車台２０上側の前部に搭乗した作業者Ａは、移送コンベア２３で移送終端部へ移送され、シュータ３８上へ供給されたキャベツ（イ）は、この作業者Ａにより、例えば、階級別等に選別して、該車台２０上側の左側前部に設けた箱詰め台装置４０上へ載置した所定の各ダンボール箱（ロ）へ供給して箱詰めする構成であり、この箱詰め台装置４０内がキャベツ（イ）の箱詰めが終了したダンボール箱（ロ）が、満量状態になると、該車台２０上の所定位置へ移動させて貯留する構成としている。
【００２４】
前記車台２０下側の前後方向略中央部で左右方向には、所定の間隔を設けて、回転自在に車輪４１，４１を軸架した構成としている。前記箱詰め台装置４０は、底板４０ｃ上に支持枠４０ａを設け、この支持枠４０ａにより、箱形状に形成している。車台２０には、該箱詰め装置４０の落下を防止する落下防止杆４０ｂを設けた構成としている。
【００２５】
補助ダンボール箱受装置４２は、車台２０の固定板２０ａに、前方へ突出する上下回動自在に平面視Ｕ字形状の受枠４２ａを設け、この受枠４２ａと該車台２０との間には、支持杆４２ｂを設け、この受枠４２ａを支持させる構成であり、該車台２０上側には、キャベツ（イ）の箱詰めが終了したダンボール箱（ロ）が満量状態になると、この補助ダンボール箱受装置４２上へ載置して貯留できる構成としている。
【００２６】
図３、及び図４は、運搬車４３を示す。運搬車４３は、車台４４下側面の前後両側で左右方向には、所定の間隔を設けて、回転自在に車輪４５を合計４個設けている。該車台４４の前端面には、平面視Ｕ字形状の支持枠４６ａ，４６ａを左右方向に所定間隔に設け、この支持枠４６ａには、回転自在にフック４６ｂを支持ピン４６ｃで軸支した構成である。このフック４６ｂ，４６ｂは、作業用牽引車１９の車台２０後端に設けた連結板４７，４７へ挿入させ、これら車台２０と車台４４とを連結、及び離脱が簡単で容易に行える構成としている。
【００２７】
前記運搬車４３と作業用牽引車１９との両者の車台２０と車台４４とには、キャベツ（イ）の箱詰め終了したダンボール箱（ロ）を載置できる構成であり、広い圃場であっても、連続収穫作業を可能とした構成としている。これにより、連結時は、１台の荷台として、キャベツ（イ）の箱詰めが終了したダンボール箱（ロ）を積載ができるし、又、運搬車４３を離脱時は、単独の運搬車としても使用できて便利である。
【００２８】
図５〜図７は、野菜収穫機を示す。前記野菜収穫機４８の操舵用ロッド４９の先端部には、畦間を検出する回転自在にローラ４９ａ，４９ａを軸架して設け、この操舵用ロッド４９は、前車輪５０，５０の走行方向を制御するタイロッド５０ａの左右方向中央部に設けると共に、上下へ折り畳み自在としている。操舵用の油圧シリンダ５１の両ポートをつなぐホース５１ａをストップバルブ５１ｂを介して設け、移動用車両２の機体７の操舵を畦間を検出して自動走行する構成としている。
【００２９】
前記移動用車両２は、路上走行で走行方向の制御を、操作ハンド５２の操作で行うときは、操舵用ロッド４９は、上方へ折り畳み操作する構成であり、この操作により、ストップバルブ５１ｂは閉制御される構成であり、これにより、該操作ハンドル５２の操作で該移動用車両２の走行方向の制御が行われる構成である。又、野菜収穫機４８でキャベツ（イ）を収穫作業のときは、該操舵用ロッド４９を下げ操作し、この操作により、該ストップバルブ５１ｂは開制御される構成であり、ローラ４９ａ，４９ａの畦間走行による検出により、該移動用車両２の走行方向の左右方向制御が自動で行われる構成としている。
【００３０】
これにより、操舵用ロッド４９の上げ操作により、ストップバルブ５１ｂが閉となり、作業者Ａ、及びＢのいずれが該ストップバルブ５１ｂの切換え忘れをすることがなくなり、又、操舵用の油圧シリンダ５１の各ポートをつないだことにより、操作ハンドル５２を外からの力でも簡単に作動させることができる。図８〜図１２は、野菜収穫機を示す。
【００３１】
前記野菜収穫機５３の移動用車両２の走行方向の左右方向を制御するフットブレーキペタル５４ａ，５４ｂは、機体７の上側面に突出状態に回動自在に設け、このフットブレーキペタル５４ａ，５４ｂには、方向制御用ワイヤー５５ａ，５５ｂの一端部を挿入し、装着する支持ピン５６ａ，５６ｂを設け、これら支持ピン５６ａ，５６ｂ軸端部には、挿入部品の抜け止めを施した構成としている。
【００３２】
前記野菜収穫機５３の前操縦席６の近傍部の取付板５７には、支点ピン５８を設け、この支点ピン５８には、回動自在に操作レバー５９ａ，５９ｂを設け、この操作レバー５９ａ，５９ｂは、レバー６０ａ，６０ｂ、ボス６１ａ，６１ｂ、取付板６２ａ，６２ｂ、及び支持板６３ａ，６３ｂよりなる構成である。この取付板６２ａ，６２ｂの一端部には、ワイヤー５５ａ，５５ｂの他端部を挿入して、装着する取付ピン６４ａ，６４ｂを装着して設け、これら取付板６２ａ，６２ｂの他端部は、該支持板６３ａ，６３ｂ端部へ支持ピン６５ａ，６５ｂにより装着した構成であり、これら取付ピン６２ａ，６２ｂ、及び支持ピン６５ａ，６５ｂ軸端部には、挿入部品の抜け止めを施した構成としている。
【００３３】
前記野菜収穫機５３でキャベツ（イ）収穫作業中は、前操縦席６に搭乗した作業者Ｂは、操作レバー５９ａ，５９ｂを操作することにより、この野菜収穫機５３の移動用車両２の走行方向の左右方向制御は、畦の形状に合せて、フットブレーキペタル５４ａ，５４ｂを利用し、片ブレーキによって方向を変えることのできる構成としている。
【００３４】
これにより、メカ的に簡単な構成で走行方向の制御ができるし、又、本機の性能を十分に発揮させることができる。
【図面の簡単な説明】
【図１】野菜収穫機の全体側面図
【図２】野菜収穫機の全体平面図
【図３】他の実施例を示す図で、運搬車部の全体側面図
【図４】他の実施例を示す図で、運搬車部の全体平面図
【図５】他の実施例を示す図で、野菜収穫機の一部破断せる側面図
【図６】他の実施例を示す図で、野菜収穫機の一部破断せる平面図
【図７】他の実施例を示す図で、方向制御部の拡大正面図
【図８】他の実施例を示す図で、野菜収穫機の全体平面図
【図９】他の実施例を示す図で、フットブレーキペタル部の拡大側面図
【図１０】他の実施例を示す図で、フットブレーキペタル部の拡大平面図
【図１１】他の実施例を示す図で、操作レバー部の拡大側面図
【図１２】他の実施例を示す図で、操作レバー部の拡大平面図
【符号の説明】
２    移動用車両
６    前操縦席
２１    ローラ装置
２３    移送コンベア
３０    受装置
（イ）  結球野菜
Ｂ    作業者